【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
端末システム（１、２）からアクセスマルチプレクサ（３）を介して、アクセスマルチプレクサ（３）に結合されたネットワークに情報を伝送し、アクセスマルチプレクサ（３）が仮想転送システム（５）を含むシステムであって、
アクセスマルチプレクサ（３）が、仮想転送システム（５）の少なくとも一部を定義する仮想転送インターネットプロトコルアドレス（３５、６４、６６）を端末システム（１、２）に送信する送信機（８２）をさらに含み、
端末システム（１、２）は、
仮想転送インターネットプロトコルアドレス（３５、６４、６６）を受信する受信機（９２）と、
仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入するインサータ（９１ｄ）とを含み、宛先インターネットプロトコルアドレス（３６、３７、３８、６５、６７）がネットワーク内の宛先を定義することを特徴とするシステム。
【請求項２】
情報が第１のアプリケーション情報および第２のアプリケーション情報を含み、宛先インターネットプロトコルアドレスが、ネットワーク内の第１の宛先を定義する第１の宛先インターネットプロトコルアドレス（３６、６５）を含み、かつネットワーク内の第２の宛先を定義する第２の宛先インターネットプロトコルアドレス（３８、６７）を含み、インターネットプロトコルヘッダが、第１のアプリケーション情報をヘッディングする第１のインターネットプロトコルヘッダを含み、かつ第２のアプリケーション情報をヘッディングするための第２のインターネットプロトコルヘッダを含み、第１の宛先インターネットプロトコルアドレス（３６、６５）が第１のインターネットプロトコルヘッダに挿入され、第２の宛先インターネットプロトコルアドレス（３８、６７）が第２のインターネットプロトコルヘッダに挿入されることを特徴とする請求項１に記載のシステム。
【請求項３】
第１の宛先が第１のエッジルータ（６）を含み、第２の宛先が第２のエッジルータ（７）を含み、仮想転送インターネットプロトコルアドレス（３５）が第１のインターネットプロトコルヘッダの宛先フィールドおよび第２のインターネットプロトコルヘッダの宛先フィールドに挿入されることを特徴とする請求項２に記載のシステム。
【請求項４】
情報が第３のアプリケーション情報をさらに含み、第１のアプリケーション情報および第３のアプリケーション情報が第１のサービスプロバイダに宛てられ、第２のアプリケーション情報が第２のサービスプロバイダに宛てられ、宛先インターネットプロトコルアドレスがネットワーク内の第３の宛先を定義する第３の宛先インターネットプロトコルアドレス（３７）をさらに含み、第３の宛先が第３のエッジルータ（８）を含み、インターネットプロトコルヘッダが第３のアプリケーション情報をヘッディングする第３のインターネットプロトコルヘッダをさらに含み、第３の宛先インターネットプロトコルアドレス（３７）が第３のインターネットプロトコルヘッダに挿入され、仮想転送インターネットプロトコルアドレス（３５）が第３のインターネットプロトコルヘッダの宛先フィールドに挿入されることを特徴とする請求項３に記載のシステム。
【請求項５】
仮想転送システム（５）が第１の仮想転送機能（５ａ）および第２の仮想転送機能（５ｂ）を含み、仮想転送インターネットプロトコルアドレス（６４、６６）が、第１の仮想転送機能（５ａ）を定義する第１の仮想転送インターネットプロトコルアドレス（６４）を含み、かつ第２の仮想転送機能（５ｂ）を定義する第２の仮想転送インターネットプロトコルアドレス（６６）を含み、第１の仮想転送インターネットプロトコルアドレス（６４）が第１のインターネットプロトコルヘッダの宛先フィールドに挿入され、第２の仮想転送インターネットプロトコルアドレス（６６）が第２のインターネットプロトコルヘッダの宛先フィールドに挿入され、第１の宛先が第１のサービスプロバイダにある第１のアプリケーションを含み、第２の宛先が第２のサービスプロバイダにある第２のアプリケーションを含むことを特徴とする請求項２に記載のシステム。
【請求項６】
情報を端末システム（１、２）からアクセスマルチプレクサ（３）を介してアクセスマルチプレクサ（３）に結合されたネットワークに伝送するシステムで使用する、仮想転送システム（５）を備えたアクセスマルチプレクサ（３）であって、
仮想転送システム（５）の少なくとも一部を定義する仮想転送インターネットプロトコルアドレス（３５、６４、６６）を端末システム（１、２）に送信する送信機（８２）をさらに含むことを特徴とするアクセスマルチプレクサ（３）。
【請求項７】
情報を端末システム（１、２）からアクセスマルチプレクサ（３）を介してアクセスマルチプレクサ（３）に結合されたネットワークに伝送するシステムで使用し、アクセスマルチプレクサ（３）が仮想転送システム（５）を備えたアクセスマルチプレクサ（３）プロセッサプログラム製品であって、
仮想転送システム（５）の少なくとも一部を定義する仮想転送インターネットプロトコルアドレス（３５、６４、６６）を端末システム（１、２）に送信する送信機能を含むことを特徴とするアクセスマルチプレクサ（３）プロセッサプログラム製品。
【請求項８】
情報を端末システム（１、２）からアクセスマルチプレクサ（３）を介してアクセスマルチプレクサ（３）に結合されたネットワークに伝送するシステムで使用し、アクセスマルチプレクサ（３）が仮想転送システム（５）を備えた端末システム（１、２）であって、
仮想転送システム（５）の少なくとも一部を定義する仮想転送インターネットプロトコルアドレス（３５、６４、６６）を受信するための受信機（９２）と、
仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入するインサータ（９１ｄ）とを含み、宛先インターネットプロトコルアドレス（３６、３７、３８、６５、６７）がネットワーク内の宛先を定義することを特徴とするシステム。
【請求項９】
情報を端末システム（１、２）からアクセスマルチプレクサ（３）を介してアクセスマルチプレクサ（３）に結合されたネットワークに伝送するシステムで使用し、アクセスマルチプレクサ（３）が仮想転送システム（５）を備えた端末システム（１、２）プロセッサプログラム製品であって、
仮想転送システム（５）の少なくとも一部を定義する仮想転送インターネットプロトコルアドレス（３５、６４、６６）を受信するための受信機能と、
仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入する挿入機能とを含み、宛先インターネットプロトコルアドレス（３６、３７、３８、６５、６７）がネットワーク内の宛先を定義することを特徴とする端末システム（１、２）プロセッサプログラム製品。
【請求項１０】
情報を端末システム（１、２）からアクセスマルチプレクサ（３）を介して、アクセスマルチプレクサ（３）に結合されたネットワークに伝送し、アクセスマルチプレクサ（３）が仮想転送システム（５）を含む方法であって、
アクセスマルチプレクサ（３）から端末システム（１、２）に仮想転送システムの少なくとも一部を定義する仮想転送インターネットプロトコルアドレス（３５、６４、６６）を送信するステップと、
端末システム（１、２）で仮想転送インターネットプロトコルアドレス（３５、６４、６６）を受信するステップと、
端末システム（１、２）で仮想転送インターネットプロトコルアドレス（３５、６４、６６）を情報をヘッディングするためのインターネットプロトコルヘッダの宛先フィールドに挿入し、宛先インターネットプロトコルアドレス（３６、３７、３８、６５、６７）をインターネットプロトコルヘッダのルーティングフィールドに挿入するステップとを含み、宛先インターネットプロトコルアドレス（３６、３７、３８、６５、６７）がネットワーク内の宛先を定義することを特徴とする方法。